(57)【要約】【課題】アレルゲン失活剤を凝集剤とによってアレルゲンの失活効果及び凝集効果を十分に得ながら、使用前において凝集剤の自己凝集を抑制して長期間に亘って安定した状態を維持できるようにする。【解決手段】ポリアクリル酸塩と、タンパク質収斂効果を持つ無機塩類とを含有するアレルギー抑制組成物において、ポリアクリル酸塩は、０．０００１重量％以上０．００５重量％以下含有されている。【選択図】なし【特許請求の範囲】
【請求項１】
ポリアクリル酸塩と、
タンパク質収斂効果を持つ無機塩類とを含有するアレルギー抑制組成物において、
上記ポリアクリル酸塩は、０．０００１重量％以上０．００５重量％以下含有されていることを特徴とするアレルギー抑制組成物。
【請求項２】
請求項１に記載のアレルギー抑制組成物において、
上記ポリアクリル酸塩は、ポリアクリル酸ナトリウムであることを特徴とするアレルギー抑制組成物。
【請求項３】
請求項２に記載のアレルギー抑制組成物において、
上記ポリアクリル酸塩は、非架橋型のポリアクリル酸ナトリウムであることを特徴とするアレルギー抑制組成物。
【請求項４】
請求項１から３のいずれか１つに記載のアレルギー抑制組成物において、
上記タンパク質収斂効果を持つ無機塩類は、塩化アルミニウムであることを特徴とするアレルギー抑制組成物。
【請求項５】
請求項４に記載のアレルギー抑制組成物において、
塩化アルミニウムの含有量が上記ポリアクリル酸塩の含有量よりも多く設定されていることを特徴とするアレルギー抑制組成物。
【発明の詳細な説明】
【技術分野】
【０００１】
本発明は、例えば花粉等のアレルゲンの吸入によって引き起こされるアレルギー反応を抑制するためのアレルギー抑制組成物に関する。
【背景技術】
【０００２】
例えば、花粉症患者の場合、花粉を所定量以上吸入することによってアレルギー反応が起こることがある。また、ダニの死骸や糞等もアレルギー反応を引き起こす原因となることが知られている。
【０００３】
例えば特許文献１には、アルミニウム塩と、耐水性を付与するための水溶性高分子を含有する抗アレルゲン組成物が開示されており、この抗アレルゲン組成物を繊維製品に対してスプレー等を使用して噴霧するようにしている。
【０００４】
また、特許文献２には、アレルゲン中和組成物が開示されており、アレルゲン中和組成物に含有されるポリアクリル酸類等の被膜形成ポリマーを布地に噴霧してアレルゲンを含む埃粒子を不動化するようにしている。
【先行技術文献】
【特許文献】
【０００５】
【特許文献１】特開２００８−９４９０６号公報
【特許文献２】特表２００４−５１０８４１号公報
【発明の概要】
【発明が解決しようとする課題】
【０００６】
ところで、近年、朝の寝起き時にいきなり連続してくしゃみが出たり、鼻が詰まったり、鼻水が止まらなくなったりする、いわゆるモーニングアタックという症状に悩まされている人が増えてきている。その原因は、はっきりとはしていないが、恐らく上述したアレルゲンによるものと考えられており、例えば就寝時の寝具に付着していた各種アレルゲンが寝起きの動作に伴って寝具から舞い上がり、舞い上がったアレルゲンを人間が吸い込んでしまい、モーニングアタックの症状が発現している可能性がある。
【０００７】
そこで、例えば特許文献１、２に開示されているような抗アレルゲン組成物やアレルゲン中和組成物を寝具に噴霧することが考えられる。特許文献２ではポリアクリル酸塩のような凝集剤を使用することによってアレルゲンを凝集することができると考えられるが、そのような凝集剤は、凝集力が強いことから、使用前の容器に入った状態で当該凝集剤同士が凝集（自己凝集）して沈殿し易くなり、製品としての実用化は難しいという問題があった。
【０００８】
特に、一般の消費者向けの製品とする場合には、容器の中で長期間、自己凝集による沈殿を生じることなく凝集剤を保っておかなければならず、また、温度が変化しても自己凝集が起こり難くしておく必要がある。
【０００９】
また、アレルゲンを凝集剤で凝集できたとしても、アレルゲンが活性状態にあるとアレルギー反応が起こりやすくなるので、凝集と共にアレルゲンの失活効果を十分に高める必要がある。
【００１０】
本発明は、かかる点に鑑みてなされたものであり、その目的とするところは、アレルゲン失活剤と凝集剤とによってアレルゲンの失活効果及び凝集効果を十分に得ながら、使用前における凝集剤の自己凝集を抑制して長期間に亘って安定した状態を維持できるようにすることにある。
【課題を解決するための手段】
【００１１】
上記目的を達成するために、本発明では、アレルゲン失活剤としてタンパク質収斂効果を持つ無機塩類を使用し、凝集剤としてポリアクリル酸塩を使用し、ポリアクリル酸塩を所定量だけ含有させるようにした。
【００１２】
第１の発明は、ポリアクリル酸塩と、タンパク質収斂効果を持つ無機塩類とを含有するアレルギー抑制組成物において、上記ポリアクリル酸塩は、０．０００１重量％以上０．００５重量％以下含有されていることを特徴とする。
【００１３】
この構成によれば、アレルゲンが付着した布材等にアレルギー抑制組成物を噴霧すると、タンパク質収斂効果を持つ無機塩類がアレルゲンに付着する。主なアレルゲンは、上述したように花粉やダニの死骸及び糞等であり、これらはタンパク質であるため、タンパク質収斂効果を持つ無機塩類がアレルゲンに付着することで、アレルゲンが不活化する。そして、ポリアクリル酸塩が０．０００１重量％以上含有されているので、ポリアクリル酸塩の凝集効果によってアレルゲンが凝集し、大きな粒子を形成する。これにより、アレルゲンが舞い上がりにくくなる。アレルゲンの全てが不活化していなくても、凝集剤によってアレルゲンが舞い上がりにくくなるので、人間が吸い込んでしまうアレルゲンの量が少なくなる。以上より、アレルギー反応が抑制される。特に、寝具にアレルギー抑制組成物を噴霧しておくことで、モーニングアタックの症状を抑制することが可能になる。
【００１４】
また、ポリアクリル酸塩の含有量が０．００５重量％以下に設定されているので、製造時、及び製造後、使用者が使用するまでの間に、ポリアクリル酸塩の自己凝集が抑制される。これにより、長期間に亘って安定した状態が維持される。
【００１５】
第２の発明は、第１の発明において、上記ポリアクリル酸塩は、ポリアクリル酸ナトリウムであることを特徴とする。
【００１６】
第３の発明は、第２の発明において、上記ポリアクリル酸塩は、非架橋型のポリアクリル酸ナトリウムであることを特徴とする。
【００１７】
この構成によれば、より高い凝集効果が得られる。
【００１８】
第４の発明は、第１から３のいずれか１つの発明において、上記タンパク質収斂効果を持つ無機塩類は、塩化アルミニウムであることを特徴とする。
【００１９】
この構成によれば、アレルゲンの失活効果がより高まる。また、アレルギー抑制組成物が人間の肌に付着した際に肌への刺激が低くなる。
【００２０】
第５の発明は、第４の発明において、塩化アルミニウムの含有量が上記ポリアクリル酸塩の含有量よりも多く設定されていることを特徴とする。
【００２１】
この構成によれば、アレルゲンの失活効果をより高めながら使用前の凝集を抑制することが可能になる。
【発明の効果】
【００２２】
第１の発明によれば、０．０００１重量％以上０．００５重量％以下のポリアクリル酸塩と、タンパク質収斂効果を持つ無機塩類とを含有しているので、アレルゲンの失活効果及び凝集効果を十分に得ながら、使用前において自己凝集を抑制して長期間に亘って安定した状態を維持できる。
【００２３】
第２、３の発明によれば、凝集効果をより高めることができる。
【００２４】
第４の発明によれば、塩化アルミニウムを使用することで、アレルゲンの失活効果をより高めながら肌への刺激を低くすることができる。
【００２５】
第５の発明によれば、アレルゲンの失活効果をより高めながら使用前の自己凝集を抑制することができる。
【発明を実施するための形態】
【００２６】
以下、本発明の実施形態を詳細に説明する。尚、以下の好ましい実施形態の説明は、本質的に例示に過ぎず、本発明、その適用物或いはその用途を制限することを意図するものではない。
【００２７】
本発明の実施形態に係るアレルギー抑制組成物は、アレルゲンを凝集させる凝集剤と、アレルゲンを失活させる失活剤と、有機媒体と、抗菌剤と、消臭剤と、香料と、水とを含有している。アレルギー抑制組成物は、アレルゲンとしての花粉、ダニの死骸及び糞等を失活剤によって失活させるとともに、複数のアレルゲンを凝集剤によって凝集させて大きな粒子を形成して舞い上がり難くすることによってアレルギーを抑制するためのものである。このアレルギー抑制組成物は、例えば噴霧器を備えた容器に収容してアレルギー抑制製品とすることができる。噴霧器は、例えば使用者が指等で押動操作するポンプ機構を内蔵した周知の噴霧器を使用することができる。また、アレルギー抑制組成物を噴射剤と共にエアゾール容器に収容してエアゾール製品とすることもできる。この場合の噴射剤は、各種ガス等を使用することができる。また、アレルギー抑制組成物は霧吹きのような容器に収容して使用することもできる。
【００２８】
アレルギー抑制組成物は、屋内で噴霧して使用するのが好ましく、例えば寝具（掛け布団、敷き布団、枕等を含む）、ソファー、カーテン、絨毯、畳等に付着させて使用することができる。
【００２９】
上記凝集剤は、ポリアクリル酸塩であり、例えばポリアクリル酸ナトリウムを挙げることができる。ポリアクリル酸ナトリウムとしては、非架橋型のポリアクリル酸ナトリウム（例えば東亜合成株式会社製  アロンビスＳＸ、アロンビスＭＸ等）および架橋型のポリアクリル酸ナトリウム（例えば東亜合成株式会社製  レオジック２６０Ｈ等）の何れでもよく、これらを混合して用いることもできるが、アレルゲンを凝集する効果の面で好ましいのは非架橋型のポリアクリル酸ナトリウムである。
【００３０】
ポリアクリル酸塩の含有量は、０．０００１重量％以上０．００５重量％以下に設定されている。ポリアクリル酸塩の含有量が０．０００１重量％未満になると、アレルゲンの凝集効果が著しく低下してしまうので、ポリアクリル酸塩の含有量の下限値は０．０００１重量％以上とするのが好ましく、より好ましくは０．０００５重量％以上である。
一方、ポリアクリル酸塩の含有量が０．００５重量％を超えると、製造途中、及び製造後、使用者が使用するまでの間に、ポリアクリル酸塩の自己凝集が進みやすく、安定した状態を維持できなくなるので、ポリアクリル酸塩の含有量の上限は０．００５重量％以下が好ましく、より好ましくは、０．００３重量％以下である。
【００３１】
上記失活剤は、タンパク質収斂効果を持つ無機塩類であり、例えば塩化アルミニウム、ミョウバン等を挙げることができる。塩化アルミニウム、ミョウバンはアレルギー抑制組成物としたときに安定している。タンパク質収斂効果とは、上記花粉、ダニの死骸及び糞等を失活するまで収斂（変性）させることができる効果である。塩化アルミニウムは、タンパク質収斂効果が高いだけでなく、人間の肌に付着したときの刺激性が低く、しかも布材等に付着したときに着色することはない点で好ましい。
【００３２】
タンパク質収斂効果を持つ無機塩類の含有量は、例えば０．２重量％以上２０重量％以下に設定することができる。タンパク質収斂効果を持つ無機塩類の含有量の下限値が０．２重量％未満になると、失活効果が著しく低下してしまうので、０．２重量％以上が好ましい。タンパク質収斂効果を持つ無機塩類の含有量を増加させるほど失活効果は高まるが、２０重量％を超えると、それ以上含有させても失活効果は殆ど変化しなくなるので、タンパク質収斂効果を持つ無機塩類の含有量の上限値は２０重量％以下が好ましい。塩化アルミニウムの含有量はポリアクリル酸塩の含有量よりも多く設定されている。
【００３３】
有機溶媒は例えばアルコールであるが、これに限らず様々な有機溶媒が目的に応じて任意に配合され得る。有機溶媒の配合目的としては、例えばアレルギー抑制組成物の速乾性を高めて使用感を向上させること等が考えられ、この場合は水よりも蒸発し易い有機溶媒であれば特に限定されないが、例えば低級アルコールを用いることができ、安全性の面からエタノールが特に好ましい。エタノールは、例えば発酵アルコール（９５度１級）等を使用することができるが、合成アルコール等であってもよい。
【００３４】
抗菌剤は、例えばフェノキシエタノール、パラオキシ安息香酸エステル、安息香酸ナトリウム、安息香酸、塩化ベンザルコニウム等を使用することができる。抗菌剤の含有量は、ポリアクリル酸塩の含有量よりも多く、かつ、タンパク質収斂効果を持つ無機塩類の含有量よりも少なく設定されている。具体的には、抗菌剤の含有量は、０．３重量％以上０．８重量％以下とするのが好ましい。
【００３５】
消臭剤は、例えばエポリオンＡＳ−１４４（共立製薬株式会社製）、フレッシュＥ（白井松新薬株式会社製）、パンシルFG-60、FG-70（何れもリリース科学工業社製）、スーパーピュリエールA100-R、スーパーピュリエールA-20TEB、スーパーピュリエールZ-100（何れもパナソニックエコソリューションズ化研株式会社製）等を使用することができる。消臭剤の含有量は、ポリアクリル酸塩の含有量よりも多く、かつ、タンパク質収斂効果を持つ無機塩類の含有量よりも少なく設定されている。具体的には、抗菌剤の含有量は、０．０５重量％以上０．５重量％以下とするのが好ましい。
【００３６】
香料は各種天然精油、合成香料等を用いることができる。水は常水を用いることができる。水の含有量は、凝集剤、失活剤、アルコール、抗菌剤、消臭剤及び香料の残部である。尚、アルコール、抗菌剤、消臭剤及び香料のうち、任意の１種または２種以上を含有させなくてもよい。また、凝集剤及び失活剤の効果を低減させない範囲で、他の添加剤を加えることもできる。
【００３７】
ところで本願発明者らは、本発明に到る過程において、通常の（塩では無い）ポリアクリル酸に比べて、ポリアクリル酸塩の方がアレルゲンを凝集する効果に優れることを突き止めた。これは、通常のポリアクリル酸に比べて、塩の方が電離しやすいため、電荷を帯びた細かい粒子（アレルゲン等）をより補足し易いためだと考えられている。
【００３８】
そこで本願発明者らは、鋭意検討を重ねる中で、凝集剤としてのポリアクリル酸塩に、失活剤としての無機塩類を配合することを着想した。ところがこれを実際に試みたところ、ポリアクリル酸塩が極めて容易に自己凝集を起こし沈殿してしまうという課題に直面した。この原因はおそらく、水中で電離したポリアクリル酸イオンが、同じく水中で電離した上記無機塩類のイオンと結合してしまうことが原因だと考えられる。
【００３９】
そこで本願発明者らは、ポリアクリル酸塩および無機塩類の濃度を調整することで自己凝集を防ぐことができないかと考えたが、例えばポリアクリル酸塩の濃度を下げるとアレルゲン凝集効果が低くなることが予想され、無機塩類の濃度を下げるとアレルゲン失活効果が低くなることが予想されるため、アレルギー抑制効果と自己凝集の防止との両立は不可能と思われた。
【００４０】
ところが本願発明者らが鋭意研究したところ、ポリアクリル酸塩を上記の濃度範囲とすることで、ポリアクリル酸塩の自己凝集が生じず、しかも十分なアレルゲン凝集効果も得られることを突き止め、本発明に到ったのである。上記ポリアクリル酸塩の濃度範囲は極めて低い（０．０００１重量％以上０．００５重量％以下）が、このように低い濃度でも十分なアレルゲン凝集効果が得られることは全く意外なことであった。
【００４１】
更に本願発明者らは、無機塩類を上記濃度範囲とすることで、十分なアレルゲン失活効果が得られ、しかもポリアクリル酸塩の自己凝集が生じないことも突き止めた。即ち、ポリアクリル酸塩および無機塩類の濃度を上記の範囲内とすることで、自己凝集による沈殿が生じず、しかも高い効果を有するアレルギー抑制組成物を得ることができるのである。
【００４２】
（アレルギー抑制組成物の製造方法）
次に、アレルギー抑制組成物の製造方法について説明する。アレルギー抑制組成物の製造方法は、ポリアクリル酸塩を水に分散させたポリアクリル酸塩分散液を得るポリアクリル酸塩分散液生成工程と、抗菌剤をアルコールに溶解させた抗菌剤溶液を得る抗菌剤溶液生成工程と、ポリアクリル酸塩分散液生成工程で生成されたポリアクリル酸塩分散液にタンパク質収斂効果を持つ無機塩類（この実施形態では塩化アルミニウム）を溶解させる無機塩類溶解工程（塩化アルミニウム溶解工程）とを備えている。
【００４３】
ポリアクリル酸塩分散液生成工程では、水にポリアクリル酸塩を投入して攪拌することによってポリアクリル酸塩を水に分散させる。このとき、アルコールが存在しない状態で攪拌する。これにより、ポリアクリル酸塩の自己凝集が抑制される。また、ポリアクリル酸塩分散液生成工程では、小型のタンクを使用してポリアクリル酸塩を水に分散させるようにするのが好ましい。
【００４４】
抗菌剤溶液生成工程では、アルコールにフェノキシエタノールを投入して攪拌し、フェノキシエタノールをアルコールに溶解させることによって抗菌剤溶液を得る。この抗菌剤溶液生成工程では、アルコールに消臭剤と香料を投入して攪拌し、消臭剤と香料をアルコールに溶解させてもよい。これにより、フェノキシエタノール、消臭剤及び香料が溶解した溶液が得られる。
【００４５】
無機塩類溶解工程では、水に塩化アルミニウムを投入して攪拌し、塩化アルミニウムを水に溶解させることによって塩化アルミニウム溶液を得る。
【００４６】
ポリアクリル酸塩分散液生成工程、抗菌剤溶液生成工程及び塩化アルミニウム溶解工程は、別々のタンクを使用して行う。これら３つの工程は、異なるタイミングで行ってもよいし、並行しておこなってもよい。
【００４７】
そして、ポリアクリル酸塩分散液生成工程で生成されたポリアクリル酸塩分散液を大型のタンクに移し、そのタンクに水を加えて攪拌する工程を複数回行ってポリアクリル酸塩分散液中の水の占める割合を増加させていく。
【００４８】
その後、ポリアクリル酸塩分散液をさらに大型のタンクに移して水を加えた後、塩化アルミニウム溶解工程で生成された塩化アルミニウム溶液をそのタンクに投入して攪拌する。次いで、水を投入して攪拌した後、アルコールを投入して攪拌する。つまり、ポリアクリル酸塩が分散したポリアクリル酸塩分散液にアルコールを加えるので、ポリアクリル酸塩の自己凝集が抑制される。
【００４９】
しかる後、フェノキシエタノール、消臭剤及び香料がアルコールに溶解した溶液を投入して攪拌した後、アルコールを加えて攪拌する。最後に、水を投入して攪拌してアレルギー抑制組成物が得られる。
【００５０】
上述したように、ポリアクリル酸塩を水に分散させた後に、タンパク質収斂効果を持つ無機塩類を溶解させるようにしたので、製造途中においてポリアクリル酸塩が自己凝集し難くなるとともに、製造後、使用者が使用するまでの間においてもポリアクリル酸塩の自己凝集が抑制される。これにより、長期間に亘って安定した状態が維持される。
【００５１】
（アレルギー抑制組成物の使用方法）
アレルギー抑制組成物は、噴霧器を備えた容器やエアゾール容器等に収容しておき、例えば、就寝前の寝具に噴霧する。これにより、アレルギー抑制組成物に含有されているタンパク質収斂効果を持つ無機塩類がアレルゲンに付着する。主なアレルゲンは、花粉やダニの死骸及び糞等であり、これらはタンパク質であるため、タンパク質収斂効果を持つ無機塩類がアレルゲンに付着することで、アレルゲンが不活化する。
【００５２】
そして、アレルギー抑制組成物にはポリアクリル酸塩が含有されているので、ポリアクリル酸塩の凝集効果によってアレルゲンが凝集し、大きな粒子を形成する。これにより、アレルゲンが舞い上がりにくくなる。アレルゲンの全てが不活化していなくても、凝集剤によってアレルゲンが舞い上がりにくくなるので、人間が吸い込んでしまうアレルゲンの量が少なくなる。以上より、アレルギー反応が抑制される。特に、寝具にアレルギー抑制組成物を噴霧しておくことで、モーニングアタックの症状を抑制することが可能になるので、本実施形態のアレルギー抑制組成物はモーニングアタック症状抑制用組成物として有用である。
【００５３】
（実施形態の効果）
次に、アレルゲンの舞い上がり抑制効果について試験結果に基づいて説明する。試験方法は、まず、掛け布団を敷き布団の上に敷き、疑似花粉として小さな舞い上がりやすい粒子を掛け布団の上に散布する。何も処理しない場合を比較例（ブランク）とし、掛け布団にアレルギー抑制組成物を噴霧した場合を実施例とした。比較例と実施例のそれぞれで、所定重量の重りを掛け布団の上方から掛け布団に落下させて舞い上がる粒子を集塵機で集め、集まった粒子の数を、パーティクルカウンターを使用して数えた。集塵機及びパーティクルカウンターは従来から周知のものである。その結果、集まった粒子の数を実施例と比較例とで比較すると、比較例の場合に集まった粒子の数を１００とすると、実施例の場合に集まった粒子の数は１７であった。つまり、本実施形態に係るアレルギー抑制組成物によるアレルゲンの舞い上がり抑制効果が極めて高いことが分かる。
【００５４】
次に、アレルゲンの失活効果について試験結果に基づいて説明する。抗原抗体反応を利用して微量生体物質を定量する方法を使用して試験を行った。すなわち、ニチニチ製薬株式会社製のＥＬＩＳＡキットを用意し、ＥＬＩＳＡキットに同梱されているｃｒｙｊ１標準溶液を、同じくキットに同梱されている緩衝液にて希釈し、ウェルに１００μＬを分注する。エッペンチューブにアレルギー抑制組成物１２０μＬ及び標準抗原液（２．５ｇ／ｍＬ）１２０μＬを分注し、ボルテックス後、３０分間静置し、ウェルに１００μＬを分注する。
【００５５】
その結果、本実施形態に係るアレルギー抑制組成物の花粉アレルゲンの失活効果は、ブランクに比べて９０％向上していることが分かった。
【００５６】
したがって、０．０００１重量％以上０．００５重量％以下のポリアクリル酸塩と、タンパク質収斂効果を持つ無機塩類とを含有することによって自己凝集を抑制して長期間に亘って安定した状態を維持できるアレルギー抑制組成物を使用することにより、アレルゲンの失活効果及び凝集効果を十分に得ることができる。
【００５７】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００５８】
以上説明したように、本発明は、例えば就寝前の寝具等に対して使用することができる。